(57)【特許請求の範囲】
【請求項１】
ＣＲＴからフィードバック電圧のフィードバックを受けるフィードバック部と、
前記フィードバック電圧の変動量に応じた高圧補正データが保存される保存部と、
前記フィードバック電圧の変動量を直流成分と交流成分とに分け、前記高圧補正データとそれぞれ比較して高圧補正を行なう補正部とを備えることを特徴とする高圧安定化回路。
【請求項２】
前記補正部は、前記フィードバック電圧の変動量を前記高圧補正データと比較して高圧補正量を出力する比較部と、
前記フィードバック電圧の交流に対する高圧補正量と画像信号とを入力して前記フィードバック電圧の傾きの第１補正量を出力する部分補正部と、
前記高圧補正量及び/または前記第１補正量を入力され補正された電圧を出力する電圧出力部とを備えることを特徴とする請求項１に記載の高圧安定化回路。
【請求項３】
ユーザから入力された前記フィードバック電圧の傾きの第２補正量を前記部分補正部に提供する補正量提供部をさらに備え、
前記部分補正部は外部から入力される制御信号に応じて前記第１補正量及び前記第２補正量を順次にまたは同時に適用して部分補正を行なうことを特徴とする請求項２に記載の高圧安定化回路。
【請求項４】
前記高圧補正データは、前記フィードバック電圧の直流変動量による像サイズの調整量が規定された像サイズ補正データ及び/または前記フィードバック電圧の交流変動量による前記フィードバック電圧の傾きの補正量が規定された部分補正データを含むことを特徴とする請求項２または３に記載の高圧安定化回路。
【請求項５】
ＣＲＴからフィードバック電圧のフィードバックを受けるフィードバック部と、前記フィードバック電圧の変動量に応じた高圧補正データが保存される保存部と、前記フィードバック電圧の変動量を直流成分と交流成分とに分け、前記高圧補正データとそれぞれ比較して高圧補正を行なう補正部と、ユーザから入力された前記フィードバック電圧の傾きの第１補正量を前記補正部に提供する補正量提供部を備える高圧安定化回路と、
ユーザから前記第１補正量を入力され前記高圧安定化回路に提供するユーザインタフェース部と、ユーザの選択によってＯＳＤ形式の前記第１補正量入力画面を発生するＯＳＤ発生部を備え、
前記補正部は外部から入力される制御信号に基づき前記第１補正量及び前記フィードバック電圧の変動量と前記高圧補正データの比較結果に基づく第２補正量を順次または同時に適用して前記像歪みに対する補正を行なうことを特徴とする映像表示装置。
【請求項６】
前記補正部は、前記フィードバック電圧の変動量を前記高圧補正データと比較して高圧補正量を出力する比較部と、
前記フィードバック電圧の交流に対する高圧補正量と画像信号とを入力して前記フィードバック電圧の傾きの第２補正量を出力する部分補正部と、
前記高圧補正量、前記第１補正量及び/または前記第２補正量を入力され補正された電圧を出力する電圧出力部とを備えることを特徴とする請求項５に記載の映像表示装置。
【請求項７】
前記高圧補正データは、前記フィードバック電圧の直流変動量による像サイズの調整量が規定された像サイズ補正データ及び/または前記フィードバック電圧の交流変動量による前記フィードバック電圧の傾きの補正量が規定された部分補正データを含むことを特徴とする請求項５または６に記載の高圧安定化回路。
【請求項８】
(ａ)ＣＲＴからフィードバック電圧のフィードバックを受ける段階と、
(ｂ)前記フィードバック電圧の変動量を計算する段階と、
(ｃ)前記フィードバック電圧の変動量を直流成分と交流成分とに分け、既に保存された高圧補正データとそれぞれ比較して高圧補正を行なう段階とを備えることを特徴とする高圧安定化方法。
【請求項９】
前記(ｃ)段階は、(ｃ１)前記フィードバック電圧の変動量を前記高圧補正データと比較して高圧補正量を出力する段階と、
(ｃ２)前記高圧補正量を入力され補正された電圧を出力する段階とを備えることを特徴とする請求項８に記載の高圧安定化方法。
【請求項１０】
前記(ｃ１)段階は、前記フィードバック電圧の変動量を直流変動量及び交流変動量に分離する段階と、
前記直流変動量を前記高圧補正データと比較して像サイズに対する高圧補正量を出力する段階と、
交流に対する高圧補正量と画像信号とを入力して部分補正に対する第１補正量を出力する段階とを備えることを特徴とする請求項９に記載のＣＲＴの高圧安定化方法。
【請求項１１】
前記高圧補正データは、前記フィードバック電圧の直流変動量による像サイズの調整量が規定された像サイズ補正データ及び/または前記フィードバック電圧の交流変動量による前記フィードバック電圧の傾きの補正量が規定された部分補正データを含むことを特徴とする請求項８に記載の高圧安定化方法。
【請求項１２】
(ｄ)ユーザから前記フィードバック電圧の傾きの第２補正量を入力される段階と、
(ｅ)前記第２補正量に基づき前記フィードバック電圧の傾きを変更する段階とをさらに備えることを特徴とする請求項８に記載の高圧安定化方法。
【発明の詳細な説明】
【０００１】
【発明の属する技術分野】
本発明はＣＲＴの高圧安定化回路及び方法に係り、特にフィードフォワード高圧(ＥＨＴ
: Extra High Tension)補正機能を有するＣＲＴの高圧安定化回路及び方法に関する。
【０００２】
【従来の技術】
一般に、ＣＲＴ(Cathod
ray tube)はアノードに数十ｋＶの高圧を印加してカソードから放出された電子ビームが蛍光体が塗布されたスクリーンに高速で衝突するよう電子を加速させる。従って、電子ビーム電流、すなわちカソード電流がアノードからカソードに流れる。このような直流の電子ビームはスクリーン上のスキャニングする間ＲＧＢ映像信号に応じて変調される。変調された電子ビームはスクリーン上の蛍光体に衝突する電子ビームの強弱変化を引き起こし、よってカラー画面がスクリーン上に現れる。
【０００３】
前述したＣＲＴにおいて高圧直流上に映像信号が変調され現れるため、高圧変動は画面の明るさ及びコントラストに直接的な影響を及ぼすので、画質の安定化のためには高圧の安定化が極めて大事である。
【０００４】
ＣＲＴの高圧はフライバックトランス（ＦＢＴ)のパルスを整流して得ている。しかし、ＦＢＴを整流して得た高圧電源は電圧変動が発生して画面が変る度に高圧が変動する。このため、ラスターの振幅変化やコンバージェンスずれ、フォーカスずれなどが発生する。また、フライバックパルスを用いて得られた電源が用いられる構成要素の電源電圧まで変動するので、ＣＲＴ全体の動作が不安定になる。従って、高圧発生回路では高圧安定化のための対策が求められている。
【０００５】
従来は高圧安定化のためにＦＢＴから自動輝度制限回路（ＡＢＬ)に入力されるフィードバック電圧を用いて高圧補正を行なった。図１は従来の高圧安定化回路のブロック図である。
【０００６】
図１を参照するに、従来の高圧安定化回路１５０はフィードバック部１５２、比較部１５４、電圧出力部１５６及び駆動部１５８を有する。
【０００７】
フィードバック部１５２はＣＲＴ１１０の高圧変動によるＦＢＴ１２０の電圧をＡＢＬ１３０を通して入力される。比較部１５４はフィードバック部１５２から入力された電圧に対する変動量を抽出する。電圧出力部１５６は比較部１５４から入力された電圧変動量によって高圧が補正された電圧を出力する。駆動部１５８は電圧出力部１５６から入力された補正された高圧を垂直駆動部１７０及び水平駆動部１８０に出力する。この際、補正された高圧は水平駆動部１８０に入力されるＥ/Ｗ信号である。
【０００８】
しかし、従来の高圧安定化回路を使用しているＣＲＴは不完全な高圧補正の影響によって画面の明るい部分と暗い部分の境界地点で像が歪む現象が発生する。図２Ａ及び図２Ｂには従来のＣＲＴから発生する像歪み現象の例を示した図である。図２Ａ及び図２Ｂを参照すれば、明るい部分２００ａ、２００ｂと暗い部分２１０ａ、２１０ｂの境界地点で像が歪む領域２２０ａ、２２０ｂが発生することが分かる。この場合、映像表示装置の種類、映像表示装置が位置している地域、ホワイトバーのサイズなどの要因によってホワイトの位置及びサイズが違うため、高圧補正量を相違にしてこそ完全な補正がなされうる。しかし、従来の高圧補正回路はこのような要因を考慮しないため一律的に補正が行なわれるという問題点がある。
【０００９】
一方、従来の技術においてＹＵＶ信号はマトリックス回路１４２でＲＧＢ信号に変換され映像増幅部１６０に入力される。映像増幅部１６０は入力されたＲＧＢ信号を増幅してＣＲＴに出力する。映像増幅部１６０で増幅されたＲＧＢ信号はビデオマトリックスチップ１４０にフィードバックされホワイトバランス調整に用いられる。また、高圧補正キャパシタ１９０はＦＢＴからＣＲＴに入力される高圧変動を減らす。
【００１０】
しかし、従来の技術ではＡＢＬ回路を通して高圧変動のフィードバックを受けるため、ＡＢＬ回路による遅延で入力される信号に遅延が発生する問題点がある。このような信号遅延は正確な像サイズ補正が行なえない主な要因として働く。また、ＡＢＬ回路に備えられた低域通過フィルタによって交流成分が殆んど消滅された状態にフィードバックされるため部分補正し難い問題点がある。
【００１１】
一方、従来の技術でこのような問題点を解決するために高圧補正キャパシタを採用すれば高圧変動を減らせるが、高圧補正キャパシタが追加されることによって相当な費用アップが不可避である問題点がある。ひいては、不正確な高圧補正による像の歪みをユーザが直接修正できる手段が具備されないことによって、ユーザによる能動的な補正が不可能であった。
【００１２】
第１グリッドの電圧変動によって発生する色座標の補正及び誤差を補正するため、保存されているＲＧＢバイアス補正値に基づき、現在のＣＲＴの第１グリッドで検出されたカットオン電圧変動率に該当する補償値を抽出してＲＧＢバイアスレベルを補正する技術がある（例えば、特許文献１参照）。
【００１３】
また、ホワイトバランスを調整するため、保存されている初期ビーム電流値に基づいて現在のビーム電流値を調整する技術がある（例えば、特許文献２参照）。
【００１４】
【特許文献１】
韓国公開１９９８−３４７６３号
【特許文献２】
日本公開２０００−３１６１０４号
【発明が解決しようとする課題】
本発明は前述した問題点を解決するために案出されたもので、その目的は遅延による像サイズ補正及び部分補正の不正確性を克服できる一方、生産コストの節減が可能なＣＲＴの高圧安定化回路及び方法を提供するところにある。
【００１５】
本発明の他の目的は、遅延による像サイズ補正及び部分補正の不正確性をユーザが補正できる手段を備えた映像表示装置を提供するところにある。
【００１６】
【課題を解決するための手段】
前述した技術的過程を達成するための本発明に係るＣＲＴの高圧安定化回路は、ＣＲＴからフィードバック電圧のフィードバックを受けるフィードバック部と、前記フィードバック電圧の変動量に応じた高圧補正データが保存される保存部と、前記フィードバック電圧の変動量を直流成分と交流成分とに分け、前記高圧補正データとそれぞれ比較して高圧補正を行なう補正部とを備える。
【００１７】
前記補正部は、前記フィードバック電圧の変動量を前記高圧補正データと比較して高圧補正量を出力する比較部と、前記フィードバック電圧の交流に対する高圧補正量と画像信号とを入力して前記フィードバック電圧の傾きの第１補正量を出力する部分補正部と、前記高圧補正量及び/または前記第１補正量を入力され補正された電圧を出力する電圧出力部とを備える。
【００１８】
一方、本発明に係る高圧安定化回路は、ユーザから入力された前記フィードバック電圧の傾きの第２補正量を前記部分補正部に提供する補正量提供部をさらに備え、前記部分補正部は外部から入力される制御信号に応じて前記第１補正量及び前記第２補正量を順次にまたは同時に適用して部分補正を行なう。
【００１９】
前記高圧補正データは前記フィードバック電圧の直流変動量による像サイズの調整量が規定された像サイズ補正データ及び/または前記フィードバック電圧の交流変動量による前記フィードバック電圧の傾きの補正量が規定された部分補正データを含むことが望ましい。
【００２０】
本発明の他の技術的過程に係る映像表示装置は、ＣＲＴからフィードバック電圧のフィードバックを受けるフィードバック部と、前記フィードバック電圧の変動量に応じた高圧補正データが保存される保存部と、前記フィードバック電圧の変動量を直流成分と交流成分とに分け、前記高圧補正データとそれぞれ比較して高圧補正を行なう補正部と、ユーザから入力された前記フィードバック電圧の傾きの第１補正量を前記補正部に提供する補正量提供部を備える高圧安定化回路と、ユーザから前記第１補正量を入力され前記高圧安定化回路に提供するユーザインタフェース部と、ユーザの選択によってＯＳＤ形式の前記第１補正量入力画面を発生するＯＳＤ発生部を備え、前記補正部は外部から入力される制御信号に基づき前記第１補正量及び前記フィードバック電圧の変動量と前記高圧補正データの比較結果に基づく第２補正量を順次または同時に適用して前記像歪みに対する補正を行なう。
【００２１】
前記補正部は、前記フィードバック電圧の変動量を前記高圧補正データと比較して高圧補正量を出力する比較部と、前記フィードバック電圧の交流に対する高圧補正量と画像信号とを入力して前記フィードバック電圧の傾きの第２補正量を出力する部分補正部と、前記高圧補正量、前記第１補正量及び/または前記第２補正量を入力され補正された電圧を出力する電圧出力部と、を有する。
【００２２】
前記高圧補正データは前記フィードバック電圧の直流変動量による像サイズの調整量が規定された像サイズ補正データ及び/または前記フィードバック電圧の交流変動量による前記フィードバック電圧の傾きの補正量が規定された部分補正データを含むことが望ましい。
【００２３】
本発明のさらに他の技術的過程による高圧安定化方法は、(ａ)ＣＲＴからフィードバック電圧のフィードバックを受ける段階と、(ｂ)前記フィードバック電圧の変動量を計算する段階、及び(ｃ)前記フィードバック電圧の変動量を直流成分と交流成分とに分け、既に保存された高圧補正データとそれぞれ比較して高圧補正を行なう段階とを有する。
【００２４】
ひいては、(ｄ)ユーザから前記フィードバック電圧の傾きの第２補正量を入力される段階、及び(ｅ)前記第２補正量に基づき前記フィードバック電圧の傾きを変更する段階をさらに備えることが望ましい。
【００２５】
この際、前記(ｃ)段階は、(ｃ１)前記フィードバック電圧の変動量を前記高圧補正データと比較して高圧補正量を出力する段階、及び(ｃ２)前記高圧補正量を入力され補正された電圧を出力する段階とを有する。
【００２６】
一方、前記(ｃ１)段階は、前記フィードバック電圧の変動量を直流変動量及び交流変動量に分離する段階と、前記直流変動量を前記高圧補正データと比較して像サイズに対する高圧補正量を出力する段階と、交流に対する高圧補正量と画像信号とを入力して部分補正に対する第１補正量を出力する段階とを有する。
【００２７】
前記高圧補正データは前記フィードバック電圧の直流変動量による像サイズの調整量が規定された像サイズ補正データ及び/または前記フィードバック電圧の交流変動量による前記フィードバック電圧の傾きの補正量が規定された部分補正データを含むことが望ましい。
【００２８】
ＣＲＴのフィードバック電圧を高圧補正に用いることによって、高圧補正時遅延による補正の不正確性が克服でき、ＡＢＬ回路及び高圧補正キャパシタを除去できるために製造コストが節減される。また、ユーザが直接に部分補正が行なえるために、各地域の像歪み程度及びユーザの視覚的特性を考慮してユーザに適宜な高圧変動がなされうる。
【００２９】
【発明の実施の形態】
以下、添付した図に基づき本発明に係るＣＲＴの高圧安定化回路及び方法について詳述する。
【００３０】
図３は本発明に係るＣＲＴの高圧安定化回路に対する一実施形態のブロック図であり、図４は本発明に係るＣＲＴの高圧安定化方法に対する一実施形態のフローチャートである。
【００３１】
図３及び図４を参照すれば、本発明に係るＣＲＴの高圧安定化回路３１０は、フィードバック部３１２、保存部３１４、補正部３１６を有する。
【００３２】
フィードバック部３１２は映像増幅部３４０からフィードバック電圧のフィードバックを受ける(Ｓ４００)。フィードバック電圧はＣＲＴからフィードバックを受けられるが映像増幅部３４０から入力されるのがフィードバックされる電圧の正確性及び遅延防止の側面から望ましい。
【００３３】
保存部３１４にはフィードバック電圧の変動量に応じた高圧補正データが保存される。保存部３１４に保存される高圧補正データはフィードバック電圧の直流変動量による像サイズの調整量が規定された像サイズ補正データ及びフィードバック電圧の交流変動量によるフィードバック電圧の傾きの補正量が規定された部分補正データを含む。
【００３４】
補正部３１６はフィードバック電圧の変動量を高圧補正データと比較して高圧補正を行なう(Ｓ４１０ないしＳ４３０)。補正部３１６に入力されるフィードバック電圧の変動量は直流及び交流成分を全て有している。補正部３１６は比較部３１８、部分補正部３２０、電圧出力部３２２を有する。
【００３５】
比較部３１８はフィードバック部３１２から入力されたフィードバック電圧からフィードバック電圧の直流成分および交流成分の変動量を算出し(Ｓ４１０)、保存部３１４に保存されている高圧補正データと比較して高圧補正量を出力する(Ｓ４２０)。この際、比較部３１８は直流及び交流それぞれに対する高圧補正量を出力する。部分補正部３２０は比較部３１８から交流に対する高圧補正量を入力され、マトリックス回路３２６から与えられるＲＧＢ信号に応じて部分補正を行ない、信号を電圧出力部３２２に出力する。ここで、部分補正は高圧補正量とＲＧＢ信号に応じてフィードバック電圧の傾き(時間に対する電圧変化量)を調整(電圧出力部３２２、駆動部３２４を介して水平駆動部３７０を制御することによってフィードバック電圧を変化させる）するようになされる。電圧出力部３２２は比較部３１８および部分補正部３２０から高圧補正量を入力され補正された電圧を出力する(Ｓ４３０)。
【００３６】
電圧出力部３２２から出力される電圧は駆動部３２４に印加され、駆動部３２４は垂直走査信号ＶＤ及び水平走査信号ＨＤをそれぞれ垂直駆動部３６０及び水平駆動部３７０に出力する。垂直及び水平像サイズが補正された電圧(Ｅ/Ｗ)は駆動部３２４から水平駆動部３７０に入力される。一方、フライバックトランスフォーマー３８０は水平駆動部３７０に入力される水平走査信号ＨＤの帰線区間のパルスを入力され高圧に変換してＣＲＴ３５０に供給する。
【００３７】
ビデオチップ３９０は本発明に係る高圧安定化回路３１０、駆動部３２４、マトリックス回路３２６及びＲＧＢ出力部３２８で構成される。
【００３８】
マトリックス回路３２６はＹＵＶ信号を入力されＲＧＢ信号に変換してＲＧＢ出力部３２８に出力する。ＲＧＢ出力部３２８はＲＧＢ信号を映像増幅部３４０に印加し、映像増幅部３４０は入力されたＲＧＢ信号を増幅してＣＲＴ３５０に供給する。映像増幅部３４０から引き出されるフィードバック電圧はＲＧＢ出力部３２８及びフィードバック部３１２に印加される。ＲＧＢ出力部３２８に印加されるフィードバック電圧はホワイトバランスの調整に使用される。
【００３９】
図５は本発明に係る高圧安定化回路の他の実施形態の構成を示したブロック図である。図５を参照すれば、本発明に係るＣＲＴの高圧安定化回路３１０は、フィードバック部３１２、保存部３１４、補正部３１６及び補正量提供部３３０を有する。
【００４０】
フィードバック部３１２及び保存部３１４の機能は図３を参照して説明した通りなので、詳細な説明は省略する。
【００４１】
補正量提供部３３０はユーザから像歪みに対する補正制御信号を入力され部分補正部３２０に出力する。本実施形態では補正量提供部３３０が高圧安定化回路３１０に備えられることと示されているが、これとは違って高圧安定化回路３１０と別に備えられうる。
【００４２】
補正部３１６はフィードバック電圧の変動量を高圧補正データと比較して高圧補正を行なう。補正部３１６に入力されるフィードバック電圧の変動量は直流及び交流成分を全て有している。補正部３１６は比較部３１８、部分補正部３２０、電圧出力部３２２を有する。
【００４３】
比較部３１８はフィードバック部３１２から入力されたフィードバック電圧からフィードバック電圧の直流成分および交流成分の変動量を算出し、保存部３１４に保存されている高圧補正データと比較して高圧補正量を出力する。この際、比較部３１８は直流及び交流それぞれに対する高圧補正量を出力することが望ましい。
【００４４】
部分補正部３２０は比較部３１８から交流に対する高圧補正量を入力され部分補正を行ない、信号を電圧出力部３２２に出力する。ここで、部分補正はフィードバック電圧の傾きを調整するようになされる。一方、部分補正部３２０は補正量提供部３３０から入力された補正量に基づきフィードバック電圧の傾きを再調整する。このようなフィードバック電圧の傾きに対する再調整は高圧補正量に基づき行なわれる部分補正と同時にまたは順次に行なえる。これとは違って、部分補正部３２０は補正量提供部３３０から補正量が入力されれば、比較部３１８から入力される高圧補正量を部分補正に使用しないようにすることもできる。
【００４５】
補正量提供部３３０はユーザから入力された補正量を部分補正部３２２に提供する。この際、補正量提供部３３０は補正量を示す補正信号を入力され部分補正部３２２で認識自在な信号、すなわち補正量に変換して提供することが望ましい。補正量提供部３３０に入力される補正信号はユーザがリモコン(図示せず)または本発明に係る高圧安定化回路３１０を装着している映像表示装置(例えばテレビ)に備えられた入力手段を通して入力したホワイトの位置及びサイズに対する補正量を電気的信号で表示したものである。
【００４６】
図６は本発明に係る高圧安定化回路３１０を装着している映像表示装置６００の構成を示したブロック図であり、図７は本発明に係る高圧安定化方法の他の実施形態の遂行過程を示したフローチャートである。
【００４７】
図６及び図７を参照すれば、映像表示装置６００は高圧安定化回路３１０、ユーザインタフェース部６１０、ＯＳＤ発生部６２０、及び制御部６３０を備える。
【００４８】
高圧安定化回路３１０の構成及び動作は図５を参照して説明した通りなので詳細な説明は省く。従って、図６には高圧安定化回路３１０の構成要素のうちユーザが入力した補正量に基づき高圧補正を行なうために必要な構成要素だけ示したし、残り構成要素は省略した。
【００４９】
図２Ａ及び図２Ｂに示した通り、ホワイト地２００ａ、２００ｂに示したブラックの文字部分２１０ａ、２１０ｂの境界付近で染みる領域２２０ａ、２２０ｂが発生すれば、ユーザはリモコン(図示せず)または本発明に係る高圧安定化回路３１０を装着している映像表示装置(例えば、テレビ)６００に備えられた入力手段を通して補正メニューを選択する(Ｓ７００)。ユーザが補正メニューを選択すれば、制御部６３０はＯＳＤ発生部６２０を駆動して補正量入力画面をＯＳＤに出力するよう制御する(Ｓ７１０)。
【００５０】
図８には補正量入力画面の一例が示されている。補正量入力画面は横が長い棒状のスライドバー８００、棒状スライドバー８００内に位置する補正量調節バー８１０、及び染み領域２２０ａ、２２０ｂの傾きに対する調整限界８２０、８３０で構成されている。ユーザはリモコンのような入力手段を通して補正量入力画面上の補正量調節バー８１０を移動させ補正量を入力する(Ｓ７２０)。
【００５１】
ユーザインタフェース部６１０は、ユーザからホワイトの位置及びサイズに対する補正量を示す補正信号を入力され補正量提供部３３０に提供する。この際、ユーザインタフェース部６１０はユーザが入力した補正信号を部分補正部３２２が認識できる信号、すなわち補正量に変換する。
【００５２】
制御部６３０は、ユーザが入力した補正量によってだけ部分補正が行なわれるよう設定されているかを確認し(Ｓ７３０)、設定状態によって部分補正部３２２の部分補正動作を制御する。ユーザが入力した補正量によってだけ部分補正を行なうよう設定されている場合、部分補正部３２２は比較部３１８から入力される高圧補正量を使用せず部分補正を行なう(Ｓ７４０)。これとは違って、比較部３１８で高圧補正量を部分補正部３２２に入力しないようにすることもできる。
【００５３】
一方、ユーザが入力した補正量及び比較部３１８から入力される高圧補正量によって部分補正を行なうよう設定されている場合、部分補正部３２２は比較部３１８から入力される高圧補正量によって部分補正を行なった後ユーザが入力した補正量を用いて部分補正を行なう。これとは違って、部分補正部３２２は比較部３１８から入力される高圧補正量及びユーザが入力した補正量を同時に適用して部分補正を行なうこともできる(Ｓ７５０)。
【００５４】
一方、比較部３１８から入力される高圧補正量によって部分補正が行なわれた状態でユーザが補正メニューを選択した後補正量を入力すれば、部分補正部３２２は入力された補正量によって部分補正を行なうよう構成することができる。
【００５５】
ユーザが入力した補正量によって部分補正が行なわれれば、映像表示装置３００には補正された画面が出力される(Ｓ７６０)。
【００５６】
【発明の効果】
以上述べた通り、本発明に係るＣＲＴの高圧安定化回路及び方法によれば、ＣＲＴのフィードバック電圧を高圧補正に用いることによって、高圧補正時遅延による補正の不正確性を克服することができ、ＡＢＬ回路及び高圧補正キャパシタを除去できるため製造コストが低減される。また、ＡＢＬ回路を使用しないため、交流変動量による部分補正が可能な利点がある。ひいては、ユーザが直接に部分補正程度を調節できるため、各地域の像歪み程度及びユーザの視覚的特性を考慮してユーザに適宜な高圧変動がなされうる。
【００５７】
以上代表的な実施形態を通して本発明について詳述したが、本発明の属する技術分野において通常の知識を持つ者ならば前述した実施例について本発明の範疇を逸脱しない範疇から逸脱しない範囲内で多様な変形が可能であろう。従って、本発明の権利範囲は説明された実施形態に限られず、特許請求の範囲だけではなく該特許請求の範囲と均等なものによって定められるべきである。
【図面の簡単な説明】
【図１】  従来の高圧安定化回路のブロック図である。
【図２Ａ】  従来のＣＲＴから発生する像歪み現象の例を示した図である。
【図２Ｂ】  従来のＣＲＴから発生する像歪み現象の例を示した図である。
【図３】  本発明に係るＣＲＴの高圧安定化回路に対する一実施形態のブロック図である。
【図４】  本発明に係るＣＲＴの高圧安定化方法に対する一実施形態のフローチャートである。
【図５】  本発明に係る高圧安定化回路の他の実施形態の構成を示したブロック図である。
【図６】  本発明に係る高圧安定化回路を装着している映像表示装置の構成を示したブロック図である。
【図７】  本発明に係る高圧安定化方法の他の実施形態の遂行過程を示したフローチャートである。
【図８】  映像表示装置に出力される補正量入力画面の一例を示した図である。
【符号の説明】
３１０  高圧安定化回路
３１２  フィードバック部
３１４  保存部
３１６  補正部
３１８  比較部
３２０  部分補正部
３２２  電圧出力部
３２４  駆動部
３２６  マトリックス回路
３２８  ＲＧＢ出力部
３３０  補正量提供部
３４０  映像増幅部
３５０  ＣＲＴ
３６０  垂直駆動部
３７０  水平駆動部
３８０  フライバックトランスフォーマー
３９０  ビデオチップ
８００  スライドバー
８１０  補正量調節バー
８２０、８３０  調整限界
【図１】
0003838956.tif 000002
【図２Ａ】
0003838956.tif 000003
【図２Ｂ】
0003838956.tif 000004
【図３】
0003838956.tif 000005
【図４】
0003838956.tif 000006
【図５】
0003838956.tif 000007
【図６】
0003838956.tif 000008
【図７】
0003838956.tif 000009
【図８】
0003838956.tif 000010